(57)【要約】【課題】暖房運転時にサーモＯＦＦ動作時の圧縮機停止動作により冷媒が室内機に逆流することによる熱交換器の温度低下が発生し、吹き出される風が冷たいにも関わらず上下羽根が垂直方向に向けられたまま維持され、使用者に冷風が吹き出されてしまって使用者が冷風感を感じるという課題を解決する。【解決手段】暖房運転時、熱交換器温度が所定温度より高い場合は上下羽根を垂直方向に向け、所定温度より低い場合は上下羽根を水平方向に向け、サーモＯＦＦ時は、サーモＯＦＦ後所定時間を経過すれば、上下羽根を水平方向に向ける風向制御を行う。したがって使用者に向けて冷風が吹出されず、使用者に冷風感を与えなくすることができる。【選択図】　図３
2004125207.tif 000002
【特許請求の範囲】
【請求項１】
少なくとも熱交換器と、送風ファンと、送風回路の吹き出し口に配置された上下羽根と、前記上下羽根を回動させる上下羽根駆動手段と、前記熱交換器の温度を検出する熱交換器温度検出手段とを有する空気調和機であって、暖房運転時においてサーモＯＦＦ動作の発生を判断するサーモＯＦＦ動作判定手段と、サーモＯＦＦ動作以降の経過時間を計時する計時手段と、前記熱交換器温度検出手段により検出された熱交換器温度及び前記計時手段により計時された計時間をそれぞれの所定の設定値と比較判定する熱交換器温度判定手段及び計時時間判定手段と、前記熱交換器温度判定手段及び計時時間判定手段の判定結果により制御信号を出力する制御信号出力手段で構成された制御部を有し、熱交換器温度とサーモＯＦＦ動作以降の経過時間に応じて前記上下羽根駆動手段により前記上下羽根を回動させ上下方向の風向を変化させることを特徴とする空気調和機。
【請求項２】
熱交換器と、送風ファンと、送風回路の吹き出し口に配置され上下の風向を制御する上下羽根を有する空気調和機において、サーモＯＦＦ状態を判定するサーモＯＦＦ状態検知ステップと、熱交換器温度を検出して熱交換器温度を所定温度と比較する熱交換器温度比較ステップと、サーモＯＦＦ後経過時間を計時しその計時時間と所定時間とを比較する計時時間比較ステップと、暖房運転時において前記熱交換器温度比較ステップと前記計時時間比較ステップでの比較結果に基づき前記上下羽根の風向を決定して動作制御を行うステップとを有することを特徴とする空気調和機の風向制御方法。
【発明の詳細な説明】
【０００１】
【発明の属する技術分野】
本発明は、空気調和機および、空気調和機の制御方法に関するものであり、より詳しくは、暖房サーモＯＦＦ時の風向制御方法に関するものである。
【０００２】
【従来の技術】
従来、この種の空気調和装置には、熱交換器の温度に応じて上下羽根を制御している発明（例えば特許文献１）がある。具体的には熱交換器温度が所定温度より高い場合、上下羽根を垂直方向に向け温風を垂直方向に吹き出し、室内の温度分布を均一化するようにする。また、熱交換器の温度が所定温度より低くくなった場合、上下羽根を水平方向に向け、冷風を使用者に向け吹き出さない風向制御方法を行っていた。
【０００３】
【特許文献１】
特開平３−２２３８８０号公報
【０００４】
【発明が解決しようとする課題】
しかしながら、上記従来の構成では、暖房運転時に室内温度が空気調和機の設定温度に達して、暖房加熱動作を一旦停止するなどの、いわゆるサーモＯＦＦ動作が起こった場合、圧縮機が停止されると冷媒の循環が停止し冷媒圧力が均圧化して、室外機の蒸発器に滞留していた冷えた冷媒が室内機の熱交換器に流入してくる。上下羽根を制御する熱交換器の温度を検出する熱交換器温度検出手段は、暖房運転時に精度良く温度を検出するために冷媒状態が常に二相液の部位に設ける必要があり、熱交換器のほぼ中央部に配置される。このため前記サーモＯＦＦ動作が起こり、冷えた冷媒が室内機の熱交換器に流入してくると、熱交換器温度検出手段の部位より熱交換器下流部の温度の低下速度が速く、熱交換器に温度むらが発生する。この結果、熱交換器温度検出手段の部位によっては、熱交換器温度が所定温度より高いと検出され上下羽根は垂直方向に向けられたまま維持されるが、熱交換器下流部は冷えた状態のため使用者に冷風が向け吹き出されるという課題を有していた。
【０００５】
本発明はこのような従来の課題を解決するものであり、暖房運転時にサーモＯＦＦ動作が起こった場合においても、冷風を使用者に向け吹き出さない風向制御方法を提供することを目的とする。
【０００６】
【課題を解決するための手段】
上記課題を解決するために本発明は、暖房運転時、熱交換器温度が所定温度より高い場合は上下羽根を垂直方向に向け、熱交換器温度が所定温度より低い場合は上下羽根を水平方向に向け、サーモＯＦＦ時は、サーモＯＦＦ動作以降の経過時間時間を検出し、サーモＯＦＦ後経過時間が所定の時間に達した場合は上下羽根を水平方向に向ける風向制御を行うものである。
【０００７】
上記の風向制御方法によって、サーモＯＦＦ時に熱交換器に温度むらが発生した場合でも冷風を使用者に向け吹き出さず、使用者に冷風感を与えなくすることができる。尚、上記の風向制御は暖房運転中に圧縮機が停止する全ての動作において同様の制御を行うものである。
【０００８】
【発明の実施の形態】
以下本発明の実施の形態について図面を参照して説明する。
【０００９】
（実施の形態１）
図１において、本発明実施例における空気調和機の構成模式図である。同図において、室内機（１）は熱交換器（２）の温度を検出する熱交換器温度検出手段すなわち温度検知部（３）と室内に吹き出し風を循環させる送風ファン（４）と吹き出し口（５）より吹き出される吹き出し風の風向を制御する上下羽根（６）で構成されている。
【００１０】
温度検知部（３）は、暖房運転時に精度良く温度を検出するために冷媒状態が常に二相液の部位に設ける必要があり、熱交換器（２）のほぼ中央部に配置される。上記構成の空気調和機は暖房運転時に室内温度が設定温度に到達し所定の時間が経過すれば、制御部がサーモＯＦＦと判断し、サーモＯＦＦ動作を開始する。サーモＯＦＦ動作とは圧縮機が停止し、送風ファン（４）が所定の回転数まで低下する動作である。
また図２は本発明実施例における空気調和機の風向制御方法のブロック図である、温度検知部（１１）と、サーモＯＦＦ判定部（１２）、及び計時手段すなわちタイマー（１３）、及び計時時間判定部（１４）、及び熱交換器温度判定部（１５）、及び制御信号出力部（１６）を備えた制御部すなわちマイクロコンピュータ（１７）と、上下羽根を駆動する上下羽根駆動手段すなわちステッピングモータ（１８）が設けられている。
【００１１】
次に、上記構成の空気調和機に適用される風向制御方法の作用を図３のフローチャートに基づいて説明する。
【００１２】
暖房運転中、サーモＯＦＦ判定部（１２）で室内温度と設定温度を比較し、室内温度が設定温度に到達していない場合サーモＯＮと判定し、室内温度が設定温度に達した場合サーモＯＦＦと判定する（ステップ１）。サーモＯＮと判定されれば、温度検知部（１１）によって熱交換器温度ｔを検出し（ステップ１１）熱交換器温度判定部（１５）で、各機種毎に実験結果より求めた冷風感を感じない所定の熱交換器温度Ｔ１と比較し（ステップ１２）、ｔ＜Ｔ１の場合には制御信号が制御信号出力部（１６）からステッピングモータ（１８）に出力され（ステップ１３）、上下羽根（６）を水平方向に向ける（ステップ１４）。またステップ１２でｔ≧Ｔ１と判定されれば制御信号が制御信号出力部（１６）からステッピングモータ（１８）に出力され（ステップ１５）、上下羽根（６）を垂直方向に向ける（ステップ１６）。この後ステップ１へ戻る。
【００１３】
ステップ１でサーモＯＦＦと判定されれば、サーモＯＦＦ動作が開始され、圧縮機が停止し、送風ファンが所定の回転数まで低下する（ステップ２１）。次にタイマー（１３）にてサーモＯＦＦ後の経過時間ｊを計時し（ステップ２２）計時時間判定部（１４）において、各機種毎に実験結果より求めたサーモＯＦＦ後の冷風感を感じない所定の経過時間Ｊ１と比較し（ステップ２３）、ｊ＞Ｊ１と判定されれば制御信号が制御信号出力部（１６）からステッピングモータ（１８）に出力され（ステップ２４）、上下羽根（６）を水平方向に向ける（ステップ２５）。この後ステップ１へ戻る。またステップ２３でｊ≦Ｊ１と判定されればステップ１１へ進む。
【００１４】
【発明の効果】
上記から明らかなように、本発明は、暖房運転時にサーモＯＦＦ動作により圧縮機が停止され冷媒の循環が停止し冷媒圧力が均圧化され、室外機の蒸発器に滞留していた冷えた冷媒が室内機の熱交換器に流入することにより、熱交換器温度検出手段の部位より熱交換器下流部の温度の低下速度が速く、熱交換器に温度むらが発生しても、サーモＯＦＦ後、所定の時間が経過すれば上下羽根は水平方向に向けられる。したがって使用者に向けて冷風が吹出されず、使用者に冷風感を与えなくすることができる。
【図面の簡単な説明】
【図１】本発明の第１の実施形態を示す空気調和機の構成模式図
【図２】同一実施形態の風向制御方法のブロック図
【図３】同一実施形態の風向制御方法の作用フローチャート
【符号の説明】
２　熱交換器
３　熱交換器温度検出手段
４　送風ファン
６　上下羽根
１１　温度検知部
１２　サーモＯＦＦ判定部
１３　タイマー
１４　計時時間判定部
１５　熱交換器温度判定部
１６　制御信号出力部
１７　マイクロコンピュータ
１８　ステッピングモータ
【図１】
2004125207.tif 000003
【図２】
2004125207.tif 000004
【図３】
2004125207.tif 000005